(57)【特許請求の範囲】
【請求項１】
前後方向と左右方向を有し、トップシートとバックシートとこれらの間に配された吸収性コアを有する吸収体と、
前記吸収体の肌面側の左右両側に、前後方向に延びるように設けられた第１フラップと、
前記吸収体の肌面側の前記第１フラップの左右方向の外方に、前後方向に延びるように設けられた第２フラップを有する吸収性物品であって、
前記第１フラップは、前記吸収体から立ち上がる起点となる第１基部と、前記吸収体から立ち上がった先端となる第１自由端を有し、前記第１基部から前記第１自由端の間に前後方向に延びる第１弾性部材が設けられ、左右方向の外方に傾倒するように形成され、
前記第２フラップは、前記吸収体から立ち上がる起点となる第２基部と、前記吸収体から立ち上がった先端となる第２自由端を有し、前記第２基部から前記第２自由端の間に前後方向に延びる第２弾性部材が設けられ、
前記吸収性コアは、左側の前記第１基部と右側の前記第１基部の間に、前後方向に延びる開口または凹部が形成され、
左側の前記第１基部と右側の前記第１基部との間であって前記開口または前記凹部よりも左右方向の外方に、前後方向に延びる第３弾性部材が設けられていることを特徴とする吸収性物品。
【請求項２】
前記第３弾性部材は、前記吸収性コアよりも肌面側に設けられている請求項１に記載の吸収性物品。
【請求項３】
前記第１弾性部材は前記第３弾性部材よりも強い収縮力で設けられている請求項１または２に記載の吸収性物品。
【請求項４】
前記第１フラップの前記第１基部から前記第１自由端に至る領域を左右方向に３分割して、基部側領域と自由端側領域とその間の中央領域としたとき、
前記第１弾性部材が、少なくとも前記基部側領域と前記自由端側領域にそれぞれ設けられている請求項１〜３のいずれか一項に記載の吸収性物品。
【請求項５】
前記第１弾性部材が、さらに前記中央領域にも設けられている請求項４に記載の吸収性物品。
【請求項６】
前記第１フラップと前記第２フラップは、左側の前記第１基部と右側の前記第１基部との間の距離よりも前記第１基部と前記第２基部との間の距離が大きくなるように設けられている請求項１〜５のいずれか一項に記載の吸収性物品。
【請求項７】
前記第１フラップは、左右方向の外側面の前後端部が前記吸収体に接合され、
前記第２フラップは、左右方向の内側面の前後端部が前記吸収体に接合され、
前記第１フラップの前後端部の吸収体への接合部が、前記第２フラップの前後端部の吸収体への接合部よりも、前後方向の内方に延在している請求項１〜６のいずれか一項に記載の吸収性物品。
【請求項８】
前記吸収体の左側に設けられる前記第１フラップと、右側に設けられる前記第１フラップは、互いに繋がって形成されている請求項１〜７のいずれか一項に記載の吸収性物品。
【請求項９】
前記吸収体の左側に設けられる前記第１フラップと右側に設けられる前記第１フラップは、互いに分離して設けられている請求項１〜７のいずれか一項に記載の吸収性物品。
【発明の詳細な説明】
【技術分野】
【０００１】
本発明は、肌面側に補助吸収体を配して好適に使用できる吸収性物品に関するものである。
【背景技術】
【０００２】
従来、使い捨ておむつ等の吸収性物品の肌面側に別体の吸収性物品（補助吸収体）を配して使用する方法が知られている。このような使用方法によれば、着用者から排泄された尿等を補助吸収体がまず受けることとなるため、補助吸収体のみを適宜交換して、その外側に装着される使い捨ておむつ等を使用し続けることにより、吸収性物品にかかるトータルの使用コストを低減することが可能となる。また、補助吸収体のみを交換することで、補助吸収体の外側に装着される使い捨ておむつ等を交換する場合と比べて、介護者等が交換作業を簡単に行えるようになる。
【０００３】
補助吸収体を併用するのに適した吸収性物品として、例えば特許文献１〜３には様々な吸収性物品が開示されている。これらの吸収性物品は、補助吸収体を併用するために様々な工夫がなされており、例えば、特許文献１に開示された吸収性物品では、少なくとも一対のサイドフラップが形成されるとともに、第１立体ギャザーの起立線より外側の部分で、かつ、サイドフラップ上に、少なくとも一対のサイドポケットが形成されている。特許文献２に開示された吸収性物品は、左右一対の帯状支持体と、左右の縁部がそれぞれ左右一対の帯状支持体を結合する連結シートを有している。特許文献３に開示された吸収性物品は、吸収体の肌側面に前後方向に延びるように設けられた第１フラップと、吸収体の肌側面に前後方向に延びるように設けられた第２フラップを有している。
【先行技術文献】
【特許文献】
【０００４】
【特許文献１】特開２００７−１９０号公報
【特許文献２】国際公開第２０１４／０５７５７１号
【特許文献３】特開２０１４−１２４５０９号公報
【発明の概要】
【発明が解決しようとする課題】
【０００５】
上記に説明したように、従来、補助吸収体を併用するのに適した吸収性物品が様々知られているが、補助吸収体の使用に当たっては、着用者から排泄された尿等をできる限り補助吸収体で吸収させ、補助吸収体の外側に装着される使い捨ておむつ等に尿等が溢れ出ないようにすることが望まれる。この点で、従来の吸収性物品には改善の余地があった。
【０００６】
本発明は前記事情に鑑みてなされたものであり、その目的は、補助吸収体を併用した際に、着用者から排泄された尿等を補助吸収体で好適に受け、尿等の横漏れを防ぐことができる吸収性物品を提供することにある。
【課題を解決するための手段】
【０００７】
前記課題を解決することができた本発明の吸収性物品とは、前後方向と左右方向を有し、トップシートとバックシートとこれらの間に配された吸収性コアを有する吸収体と、吸収体の肌面側の左右両側に、前後方向に延びるように設けられた第１フラップと、吸収体の肌面側の第１フラップの左右方向の外方に、前後方向に延びるように設けられた第２フラップを有する吸収性物品であって、第１フラップは、吸収体から立ち上がる起点となる第１基部と、吸収体から立ち上がった先端となる第１自由端を有し、第１基部から第１自由端の間に前後方向に延びる第１弾性部材が設けられ、左右方向の外方に傾倒するように形成され、第２フラップは、吸収体から立ち上がる起点となる第２基部と、吸収体から立ち上がった先端となる第２自由端を有し、第２基部から第２自由端の間に前後方向に延びる第２弾性部材が設けられ、左側の第１基部と右側の第１基部との間に前後方向に延びる第３弾性部材が設けられているところに特徴を有する。
【０００８】
本発明の吸収性物品は、左側の第１基部と右側の第１基部との間に設けられた第３弾性部材によって、第１フラップの立ち上がりの起点となる第１基部が着用者の肌に向かって持ち上げられるため、第１フラップの全体が着用者の肌に近づくように形成される。そして、第１フラップの第１基部から第１自由端の間に設けられた第１弾性部材によって、第１フラップが着用者の肌に向かって立ち上がるようになる。そのため、第１フラップの上に補助吸収体を載せた場合、補助吸収体を着用者の肌の近くに設置することができる。しかも、第１フラップが左右方向の外方に傾倒するように立ち上がるように形成されているため、補助吸収体の左右方向の外側部が左右方向の内側部よりも着用者の肌に近付くように持ち上げられ、補助吸収体が左右方向断面で凹状に形成されやすくなる。そのため、着用者から排泄された尿等を補助吸収体で好適に受けることができ、尿等の横漏れを防ぐことができる。また、第２フラップに第２弾性部材が設けられることにより、第２フラップが立ち上がり、これにより、補助吸収体から溢れた尿等が横漏れするのを防ぐことができる。
【０００９】
第３弾性部材は、吸収性コアよりも肌面側に設けられていることが好ましい。このように第３弾性部材を設けることにより、第１フラップを着用者の肌により近付けることができる。そのため、第１フラップの上に載せられる補助吸収体も、着用者の肌により近付けて設置することができる。
【００１０】
第１弾性部材は第３弾性部材よりも強い収縮力で設けられていることが好ましい。このように第１弾性部材を設けることにより、第１フラップがより高く立ち上がりやすくなる。そのため、第１フラップの上に載せられる補助吸収体を左右方向断面でより深い凹状に形成しやすくなる。
【００１１】
第１フラップの第１基部から第１自由端に至る領域を左右方向に３分割して、基部側領域と自由端側領域とその間の中央領域としたとき、第１弾性部材が、少なくとも基部側領域と自由端側領域にそれぞれ設けられていることが好ましい。基部側領域に設けられた第１弾性部材によって、第１フラップの全体が着用者の肌に向かって立ち上がりやすくなる。また自由端側領域に設けられた第１弾性部材によって、第１フラップの左右方向の外方をより高く立ち上げることができる。そのため、第１フラップの上に載せられる補助吸収体を着用者の肌により近付けて設置しやすくなるとともに、補助吸収体を左右方向断面でより深い凹状に形成しやすくなる。
【００１２】
第１弾性部材が、さらに中央領域にも設けられていることも好ましい。第１弾性部材を、第１フラップのさらに中央領域にも設けることにより、第１フラップの剛性を全体的に高めることができ、例えば補助吸収体が尿等を吸収した場合でも、補助吸収体を着用者の肌に近付けた状態を維持しやすくなる。
【００１３】
第１フラップと第２フラップは、左側の第１基部と右側の第１基部との間の距離よりも第１基部と第２基部との間の距離が大きくなるように設けられていることが好ましい。この場合、左右の第１フラップは互いに接近して設けられることとなるため、この上に補助吸収体を載せた場合に、補助吸収体を着用者の肌により近付けて設置することができる。また、第２フラップは、吸収体の左右方向のより外側に設けられることとなるため、補助吸収体から尿等が溢れても、第２フラップによって尿等の横漏れが効果的に防止されるようになる。
【００１４】
吸収性コアは、左側の第１基部と右側の第１基部との間に、前後方向に延びる開口または凹部が形成されていることが好ましい。このように吸収性コアが形成されていれば、吸収性コアが開口または凹部で窪んだ形状、すなわち左右方向断面が略Ｖ字状に形成されやすくなる。その結果、第１フラップ上に載せられた補助吸収体も左右方向の内側を窪ませて形成しやすくなり、着用者から排泄された尿等を補助吸収体で好適に受けやすくなる。
【００１５】
上記のように吸収性コアに前後方向に延びる開口または凹部が形成される場合、第３弾性部材は、開口または凹部よりも左右方向の外方に設けられることが好ましい。第３弾性部材がこのような位置に設けられていれば、吸収性コアに開口または凹部が形成されていても、第３弾性部材によって第１フラップの全体を持ち上げる効果が好適に発揮されやすくなる。
【００１６】
第１フラップは、左右方向の外側面の前後端部が吸収体に接合され、第２フラップは、左右方向の内側面の前後端部が吸収体に接合され、第１フラップの前後端部の吸収体への接合部が、第２フラップの前後端部の吸収体への接合部よりも、前後方向の内方に延在していることが好ましい。第１フラップの左右方向の外側面の前後端部が吸収体に接合されていれば、第１フラップが左右方向の外方に傾倒して立ち上がりやすくなる。また、第２フラップの左右方向の内側面の前後端部が吸収体に接合されていれば、第２フラップが左右方向の内方に傾倒して立ち上がりやすくなる。そして、第１フラップの前後端部の吸収体への接合部が、第２フラップの前後端部の吸収体への接合部よりも、前後方向の内方に延在して形成されることにより、第１フラップの前後端部は、前後方向により広い範囲でフラットに形成されることとなり、着用者の腹側や背側での着用感が向上する。一方、第２フラップは前後方向のより広い範囲で立ち上がるように形成されるため、第２フラップによって尿等の横漏れが好適に防止される。
【００１７】
吸収体の左側に設けられる第１フラップと、右側に設けられる第１フラップは、例えば、互いに繋がって形成されていてもよい。この場合、吸収体の左側と右側に設けられる第１フラップを互いに密接に設けることが可能となり、第１フラップの立ち上がる高さを確保しやすくなる。
【００１８】
吸収体の左側に設けられる第１フラップと右側に設けられる第１フラップは、互いに分離して設けられていてもよい。この場合は、第１フラップを形成するために用いるシート部材の使用量を低減することができる。
【発明の効果】
【００１９】
本発明の吸収性物品によれば、第１フラップの全体が着用者の肌に近づくように形成され、その上で、第１フラップが着用者の肌に向かって立ち上がるようになるため、第１フラップの上に補助吸収体を載せた場合、補助吸収体を着用者の肌の近くに設置することができる。また、補助吸収体を、左右方向の外側部が左右方向の内側部よりも着用者の肌に近付くように持ち上げることができるため、補助吸収体が左右方向断面で凹状に形成されやすくなる。そのため、着用者から排泄された尿等を補助吸収体で好適に受けることができ、尿等の横漏れを防ぐことができる。また、第２フラップが立ち上がることによって、第２フラップによる防漏効果も発揮される。
【図面の簡単な説明】
【００２０】
【図１】本発明の吸収性物品の一例を表し、吸収性物品を肌面側から見た平面図を表す。
【図２】図１に示した吸収性物品のＩＩ−ＩＩ断面図を表す。
【図３】図１に示した吸収性物品のＩＩＩ−ＩＩＩ断面図を表す。
【図４】図２において補助吸収体を吸収性物品上に載せた状態での吸収性物品の使用例を表す。
【図５】図２に示した吸収性物品の断面図の変形例を表す。
【図６】図２に示した吸収性物品の断面図の変形例を表す。
【図７】図２に示した吸収性物品の断面図の変形例を表す。
【図８】本発明の吸収性物品のさらに他の例を表し、吸収性物品を肌面側から見た平面図を表す。
【図９】図８に示した吸収性物品のＩＸ−ＩＸ断面図を表す。
【図１０】図９に示した吸収性物品の断面図の変形例を表す。
【図１１】図９に示した吸収性物品の断面図の変形例を表す。
【発明を実施するための形態】
【００２１】
本発明の吸収性物品は、前後方向と左右方向を有し、トップシートとバックシートとこれらの間に配された吸収性コアを有する吸収体と、吸収体の肌面側の左右両側に、前後方向に延びるように設けられた第１フラップと、吸収体の肌面側の前記第１フラップの左右方向の外方に、前後方向に延びるように設けられた第２フラップを有する。本発明の吸収性物品は、肌面側に別体の吸収性物品（以下、別体の吸収性物品を「補助吸収体」と称する）を配して好適に用いられ、吸収体の肌面側に設けられた第１フラップによって、補助吸収体を着用者の肌に向かって持ち上げて、着用者から排泄された尿等を補助吸収体で好適に受けることができるようにしたものである。本発明の吸収性物品の態様としては使い捨ておむつや尿パッド等が示され、好ましくは使い捨ておむつに好適に適用される。
【００２２】
吸収体は、前後方向と左右方向を有する。吸収体の前後方向は、吸収性物品を着用した際の着用者の股間の前後方向に延びる方向に相当する。吸収体の左右方向とは、吸収体と同一面上にあり前後方向と直交する方向を意味し、吸収性物品を着用した際の着用者の左右方向に相当する。また、本発明において、吸収性物品の肌面側とは、吸収性物品を着用した際の着用者の肌に向く側を意味し、吸収性物品の外面側とは、吸収性物品を着用した際の着用者とは反対側を意味する。
【００２３】
吸収体は、トップシートとバックシートとの間に吸収性コアが配されて構成される。吸収体の形状は特に限定されず、平面視で、吸収体の外縁が吸収性物品の外縁と一致してもよく、異なっていてもよい。前者の場合、吸収体が吸収性物品そのものを構成していてもよい。
【００２４】
吸収性物品が尿パッドである場合、吸収体の形状としては、略長方形、砂時計形、ひょうたん形等が示される。
【００２５】
吸収性物品が使い捨ておむつである場合、吸収性物品は、例えば、前側部と後側部とこれらの間に位置し吸収性コアが備えられた股部とから構成される。使い捨ておむつとしては、例えば、前側部と後側部とこれらの間に位置する股部とからなる外装部材の肌面側に、トップシートとバックシートとの間に吸収性コアが配された吸収体が設けられてもよい。このとき、吸収体の形状としては略長方形等が示される。使い捨ておむつとしてはまた、吸収体が前側部と後側部とこれらの間に位置する股部とを形成してもよい。このとき、吸収体の形状としては砂時計形等が示される。
【００２６】
前側部は、使い捨ておむつを着用の際に着用者の腹側に当てる部分に相当し、後側部は、使い捨ておむつを着用の際に着用者の背側に当てる部分に相当する。股部は、前側部と後側部との間に位置し、着用者の股間に当てる部分に相当する。
【００２７】
吸収性物品が使い捨ておむつである場合、使い捨ておむつは、後側部の左右側端に止着部材が設けられ、当該止着部材により着用時にパンツ形状に形成するオープンタイプ（テープタイプ）の使い捨ておむつであったり、前側部と後側部とが接合されることによりウェスト開口部と一対の脚開口部とが形成されたパンツタイプの使い捨ておむつであってもよい。パンツタイプの使い捨ておむつは、例えば、パンツ形状に形成可能な外装部材の肌面側に吸収体が設けられて形成される。
【００２８】
トップシートは、吸収性物品を着用した際に着用者側に位置するシートであり、液透過性である。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００２９】
バックシートは、吸収性物品を着用した際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００３０】
外装部材は、液透過性であっても液不透過性であってもよく、トップシートやバックシートに使用可能なシート材料を用いることができる。外装部材は、内側シートに外側シートが積層されて形成されることが好ましく、親水性の内側シートに液不透過性の外側シートが積層されて形成されることがより好ましい。
【００３１】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００３２】
吸収性コアは、尿等の排泄物を吸収できる吸収性材料を含むものであれば特に限定されない。吸収性コアとしては、例えば、吸収性材料を所定形状に成形した成形体を用いることができる。吸収性コアは、紙シート（例えば、ティッシュペーパーや薄葉紙）や液透過性不織布等のシート部材で覆われてもよい。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００３３】
吸収性材料は、尿等の吸収速度を高める点から、親水性繊維を含むことが好ましい。また、吸収容量を高める点からは、吸収性材料は吸水性樹脂を含むことが好ましい。従って、吸収性コアは親水性繊維（特にパルプ繊維）と吸水性樹脂を含むことが好ましい。この場合、例えば、親水性繊維の集合体に吸水性樹脂を混合または散布したものを用いることが好ましい。
【００３４】
吸収性材料としては、吸水性繊維を用いることもできる。吸水性繊維としては、プロトン化または塩形成したカルボキシル基を含有する繊維が挙げられる。例えば、特公昭５２−４２９１６号公報に開示されるように、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。吸収性コアを吸水性繊維から構成すれば、吸収性コアを薄く形成することができ、吸収性物品を着用の際に補助吸収体を併用しても、吸収性物品が着用者の股間で嵩張らずに着用感が向上する。
【００３５】
吸収性コアの目付は特に限定されないが、尿等の吸収性能を確保し、吸収性物品が着用者の股間で嵩張りにくくするために、例えば６０ｇ／ｍ2〜４５０ｇ／ｍ2の範囲にあればよい。なお吸収性コアの目付は、使用する吸収性材料の種類に応じて適宜変えることが好ましく、例えば、吸収性コアが親水性繊維を含む場合、あるいはさらに吸水性樹脂を含む場合は、吸収性コアの目付は１００ｇ／ｍ2〜４５０ｇ／ｍ2（より好ましくは１２０ｇ／ｍ2〜３００ｇ／ｍ2）であることが好ましい。吸収性コアが吸水性繊維から構成される場合は、吸収性コアの目付は６０ｇ／ｍ2〜１５０ｇ／ｍ2（より好ましくは７０ｇ／ｍ2〜１２０ｇ／ｍ2）であることが好ましい。
【００３６】
吸収性コアの形状（平面形状）は特に限定されない。吸収性コアの形状は、用途に応じて適宜決定すればよく、例えば、略長方形、砂時計形、ひょうたん形、羽子板形等が挙げられる。また吸収性コアは、後述するように開口が形成されたり、左右方向に分割して形成されてもよい。
【００３７】
吸収性コアは、吸収体に対して前後方向の略中央に設けられることが好ましい。すなわち、吸収性コアの前後方向の中心と吸収体の前後方向の中心とがほぼ一致することが好ましく、具体的には、吸収性コアの前後方向の中心が吸収体の前後方向の中心の２０ｍｍ以内にあることが好ましく、１５ｍｍ以内にあることがより好ましい。また、吸収性コアの前後方向の長さは、吸収体の前後方向の長さの７５％以上であることが好ましく、８０％以上であることがより好ましく、また９５％以下であることが好ましく、９０％以下であることがより好ましい。このように吸収性コアが吸収体に配されれば、吸収性コアからの尿等の漏れを防止しつつ、十分な吸収容量を確保しやすくなる。
【００３８】
本発明の吸収性物品には、吸収体の肌面側の左右両側に、前後方向に延びる第１フラップが設けられる。第１フラップは、補助吸収体を載せるために設けられる。第１フラップは、吸収体から立ち上がる起点となる第１基部と、吸収体から立ち上がった先端となる第１自由端を有し、第１基部から第１自由端の間に前後方向に延びる第１弾性部材が設けられ、左右方向の外方に傾倒するように形成されている。第１フラップは、第１基部から第１自由端までの間に設けられた第１弾性部材の収縮力によって、着用者の肌に向かって立ち上がるようになる。そのため、第１フラップの上に補助吸収体を載せた場合、補助吸収体を着用者の肌の近くに設置することができる。また、第１フラップが立ち上がることによって、第１フラップの上に載せられた補助吸収体から尿等が溢れ出ても、尿等が第１フラップの下側に入り込んで、尿等が吸収性コアによって好適に吸収されやすくなる。
【００３９】
第１フラップは、左右方向の外方に傾倒するように形成されている。これにより、補助吸収体の左右方向の外側部が左右方向の内側部よりも着用者の肌に近付くように持ち上げられ、補助吸収体が左右方向断面で凹状に形成されやすくなる。そのため、着用者から排泄された尿等を補助吸収体で好適に受けることができるようになる。すなわち、着用者から排泄された尿等が補助吸収体の表面で左右方向に溢れ出にくくなり、尿等が補助吸収体で好適に吸収されやすくなる。
【００４０】
第１フラップは、吸収体の左右方向の中心線（前後方向に延びる中心線）の左右両側にそれぞれ設けられることが好ましい。本発明において、吸収体の左右方向の中心線は、吸収性物品に設けられた弾性部材の収縮力を解除した状態で定められる。すなわち、吸収性物品に弾性部材が設けられる場合は、吸収性物品から弾性部材を除去したり、弾性部材を細かく切断するなどして、弾性部材による収縮力が発現しないようにして、その状態で吸収体の左右方向の中心線を規定するものとする。
【００４１】
第１フラップは、吸収体の前後方向の全長にわたって設けられてもよく、吸収体の前後方向の一部に設けられてもよい。なお、第１フラップの上に補助吸収体を載せやすくする点から、第１フラップは、吸収体の前後方向の６０％以上（より好ましくは７０％以上であり、さらに好ましくは８０％以上である）の長さを有することが好ましい。
【００４２】
第１弾性部材は伸張状態で第１フラップに設けられることが好ましい。第１弾性部材は、少なくとも第１フラップの第１自由端の近傍に設けられることが好ましく、例えば、少なくとも第１自由端から１５ｍｍ以内（より好ましくは１０ｍｍ以内）の領域に設けられることが好ましい。このように第１弾性部材を設けることによって、第１フラップの上に載せられる補助吸収体を左右方向断面で深い凹状に形成しやすくなる。
【００４３】
第１弾性部材は、第１フラップの第１基部から第１自由端に至る領域を左右方向に３分割して、基部側領域と自由端側領域とその間の中央領域としたとき、基部側領域と自由端側領域にそれぞれ設けられることが好ましい。基部側領域に設けられた第１弾性部材によって、第１フラップの全体が着用者の肌に向かって立ち上がりやすくなる。また自由端側領域に設けられた第１弾性部材によって、第１フラップの左右方向の外方をより高く立ち上げることができる。そのため、第１フラップの上に載せられる補助吸収体を着用者の肌により近付けて設置しやすくなるとともに、補助吸収体を左右方向断面でより深い凹状に形成しやすくなる。
【００４４】
第１弾性部材は、さらに中央領域にも設けられていることも好ましい。第１弾性部材を、基部側領域と自由端側領域に加えて、第１フラップのさらに中央領域にも設けることにより、第１フラップの剛性を全体的に高めることができ、例えば補助吸収体が尿等を吸収した場合でも、補助吸収体を着用者の肌に近付けた状態を維持しやすくなる。
【００４５】
第１弾性部材は、第１弾性部材に接着剤が塗布されることにより、第１フラップに取り付けられることが好ましい。これにより、第１フラップの第１弾性部材が取り付けられない部分は接着剤が塗布されずにすみ、柔軟に形成されて肌触りが向上する。第１弾性部材は、例えば次のように第１フラップに取り付けられることが好ましい。すなわち、第１フラップが複数層から構成され、第１フラップを構成する複数の層間に、接着剤が塗布された第１弾性部材が配されることが好ましい。
【００４６】
第１フラップは、左右方向の外方に傾倒して立ち上がりやすくするために、左右方向の外側面の前後端部が吸収体に接合されていることが好ましい。このとき、第１フラップの前後端部は、少なくとも左右方向の外方部分が吸収体に接合されていることが好ましい。第１フラップの左右方向の外側面の前後端部が吸収体に接合されることにより、第１フラップの前側端部と後側端部との間が起立可能に形成される。なお第１フラップの外側面とは、第１フラップが立ち上がった状態で、第１フラップの左右方向に対する外側面を意味する。第１フラップは、例えば、接着剤、熱融着、超音波融着等の接合手段により吸収体に接合されればよい。
【００４７】
第１フラップは、左右方向の外側面の前側端部の吸収体への接合部が、左右方向の外側面の後側端部の吸収体への接合部よりも、前後方向の内方に延在していることが好ましい。このように第１フラップの前後端部が吸収体に接合されていれば、第１フラップの前後方向の前側は後側よりも広い範囲でフラットに形成されることになるため、着用者の腹側での着用感が向上する。一方、第１フラップの前後方向の後側は、着用者の臀部にあたる部分であるが、第１フラップの上に補助吸収体を載せた場合に、着用者の臀部において補助吸収体を着用者の肌により近づけて設置しやすくなる。このため、尿等の横漏れが好適に防止される。
【００４８】
第１フラップの左右方向の外側面の前後端部の吸収体への接合部は、連続的に形成されていてもよく、断続的に形成されていてもよい。例えば、接合部は前後方向に延び、左右方向に断続的な形状で設けられてもよい。
【００４９】
第１フラップの前後方向に対する前側端部と後側端部とその間の部分の長さは特に限定されない。例えば、第１フラップの前後方向に対する相対位置として前側端を０％とし後側端を１００％としたとき、前側端部は０％〜１５％の範囲にあり、後側端部は８５％〜１００％の範囲にあり、前側端部と後側端部の間の部分（すなわち起立部分）は１５％〜８５％の範囲にあればよい。なお、前記説明した相対位置は、吸収性物品に弾性部材が設けられる場合は、弾性部材を完全に伸張させた状態（すなわち、弾性部材を除去した状態あるいは弾性部材を細かく切断して弾性部材の収縮力が発現しない状態）で測定する。後述する様々な長さの好適範囲に関しても、同様の条件で測定した値を用いる。
【００５０】
第１フラップは、第１基部が吸収体の左右方向の中心線の近傍に位置するように設けられることが好ましい。具体的には、第１基部は、吸収体の左右方向の中心線から２５ｍｍ以内の領域に位置することが好ましく、２０ｍｍ以内の領域に位置することがより好ましく、１５ｍｍ以内の領域に位置することがさらに好ましい。また、吸収体の左右方向の中心線の両側に設けられた第１フラップの第１基部間の長さは５０ｍｍ以下が好ましく、４０ｍｍ以下がより好ましく、３０ｍｍ以下がさらに好ましい。このような位置に第１フラップを設ければ、補助吸収体を第１フラップの上に載せた際、補助吸収体が第１フラップによって好適に持ち上げられるようになる。
【００５１】
第１フラップは、第１基部から第１自由端までの長さが、第１基部から吸収体の左右方向の中心線までの長さよりも長くなるように形成されていることが好ましい。このように第１フラップが形成されていれば、第１フラップが左右方向の外方に傾倒した状態を維持しやすくなる。すなわち、一方の第１フラップが左右方向の内方に倒れそうになったとしても、他方の第１フラップが邪魔になって一方の第１フラップが左右方向の内方に完全に倒れるのが阻止されやすくなる。また、第１フラップの立ち上がる高さを確保しやすくなり、補助吸収体を着用者の肌の近くまで持ち上げることが容易になる。より好ましくは、第１フラップは、第１基部から第１自由端までの長さが、吸収体の左側の第１基部と右側の第１基部との間の長さよりも長くなるように形成される。
【００５２】
本発明の吸収性物品には、吸収体の肌面側に、第１フラップに加え第２フラップが設けられている。第２フラップは、吸収体の肌面側の第１フラップの左右方向の外方に、前後方向に延びるように設けられる。つまり、第２フラップは、吸収体の左右両側に設けられた第１フラップの左右方向の外方にそれぞれ設けられる。従って、吸収体の肌面側には、第１フラップと第２フラップと合わせて合計４つのフラップが設けられることとなる。第２フラップは、尿等の横漏れを防ぐために設けられる。第２フラップは、一般の吸収性物品に設けられる防漏フラップに相当するものである。
【００５３】
第２フラップは、吸収体の前後方向の全長にわたって設けられてもよく、吸収体の前後方向の一部に設けられてもよい。なお、第２フラップによって吸収性物品からの尿等の横漏れを防止する点から、第２フラップは、吸収体の前後方向の６０％以上（より好ましくは７０％以上であり、さらに好ましくは８０％以上である）の長さを有することが好ましい。
【００５４】
第２フラップは、吸収体から立ち上がる起点となる第２基部と、吸収体から立ち上がった先端となる第２自由端を有し、第２基部から第２自由端の間に前後方向に延びる第２弾性部材が設けられる。このため、第２フラップの第２基部から第２自由端の間に設けられた第２弾性部材の収縮力によって、第２フラップが着用者の肌に向かって立ち上がるようになる。そのため、第１フラップの上に載せられた補助吸収体から尿等が溢れ出ても、吸収性物品からの横漏れを防止することができる。
【００５５】
第２弾性部材は伸張状態で第２フラップに設けられることが好ましい。第２弾性部材は、第２フラップの第２自由端の近傍に設けられることが好ましく、例えば、少なくとも第２自由端から１５ｍｍ以内（より好ましくは１０ｍｍ以内）の領域に設けられることが好ましい。このように第２弾性部材が設けられれば、第２フラップの左右方向の内方をより高く持ち上げることができる。
【００５６】
第２弾性部材は、第２弾性部材に接着剤が塗布されることにより、第２フラップに取り付けられることが好ましい。これにより、第２フラップの第２弾性部材が取り付けられない部分は接着剤が塗布されずにすみ、柔軟に形成されて肌触りが向上する。第２弾性部材は、例えば次のように第２フラップに取り付けられることが好ましい。すなわち、第２フラップが複数層から構成され、第２フラップを構成する複数の層間に接着剤が塗布された第２弾性部材が配されることが好ましい。
【００５７】
第２フラップは、左右方向の内方に傾倒するように形成されていることが好ましい。すなわち、第２フラップは第２弾性部材の収縮力によって着用者の肌に向かって立ち上がるように形成されているが、この際、左右方向の内方に傾倒して立ち上がるように形成されていることが好ましい。第２フラップが左右方向の内方に傾倒するように立ち上がることにより、補助吸収体から溢れ出た尿等が第２フラップを越えて漏れ出しにくくなる。
【００５８】
第２フラップが左右方向の内方に傾倒して立ち上がりやすくするために、第２フラップの左右方向の内側面の前後端部が吸収体に接合されていることが好ましい。このとき、第２フラップの前後端部は、少なくとも左右方向の内方部分が吸収体に接合されていることが好ましい。第２フラップの左右方向の外側面の前後端部が吸収体に接合されることにより、第２フラップの前側端部と後側端部との間が起立可能に形成される。なお第２フラップの内側面とは、第２フラップが立ち上がった状態で、第２フラップの左右方向に対する内側面を意味する。第２フラップは、例えば、接着剤、熱融着、超音波融着等の接合手段により吸収体に接合されればよい。
【００５９】
第２フラップの前後方向に対する前側端部と後側端部とその間の長さも特に限定されない。例えば、第２フラップの前後方向に対する相対位置として前側端を０％とし後側端を１００％としたとき、前側端部は０％〜１５％の範囲にあり、後側端部は８５％〜１００％の範囲にあり、前側端部と後側端部の間（すなわち起立部分）は１５％〜８５％の範囲にあればよい。
【００６０】
第１フラップの左右方向の外側面の前後端部が吸収体に接合され、第２フラップの左右方向の内側面の前後端部が吸収体に接合される場合、第１フラップの前後端部の吸収体への接合部は、第２フラップの前後端部の吸収体への接合部よりも前後方向の内方に延在するように設けられていることが好ましい。これにより、第１フラップの前後端部は、前後方向により広い範囲でフラットに形成され、着用者の腹側や背側での着用感が向上する。一方、第２フラップは前後方向のより広い範囲で立ち上がるように形成されるため、第２フラップによって尿等の横漏れが好適に防止される。
【００６１】
第２フラップの左右方向の内側面の前後端部の吸収体への接合部は、連続的に形成されていてもよく、断続的に形成されていてもよい。例えば、接合部は前後方向に延び、左右方向に断続的な形状で設けられてもよい。
【００６２】
第１フラップと第２フラップは、左側の第１基部と右側の第１基部との間の距離よりも第１基部と第２基部との間の距離が大きくなるように設けられていることが好ましい。この場合、左右の第１フラップは互いに接近して設けられることとなるため、第１フラップの上に補助吸収体を載せた場合に、補助吸収体を着用者の肌により近付けて設置することができる。また、第２フラップは、吸収体の左右方向のより外側に設けられることとなるため、補助吸収体から尿等が溢れても、第２フラップによって尿等の横漏れが効果的に防止されるようになる。
【００６３】
第２フラップは、第１フラップと重ならないように設けられることが好ましい。すなわち、第１フラップと第２フラップは、倒伏した状態で互いに離間するように形成されていることが好ましい。このように第１フラップと第２フラップが形成されていれば、吸収性物品を使用する際、第１フラップと第２フラップの両方が立ち上がりやすくなる。なお、第１フラップと第２フラップが倒伏した状態とは、第１フラップと第２フラップが吸収体上に倒れた状態を意味する。
【００６４】
本発明の吸収性物品は、第１フラップの左側の第１基部と右側の第１基部との間に前後方向に延びる第３弾性部材が設けられている。左側の第１基部と右側の第１基部との間に設けられる第３弾性部材の本数は特に限定されないが、第３弾性部材は、左側の第１基部と吸収体の左右方向の中心線の間と、右側の第１基部と左右方向の中心線の間にそれぞれ設けられていることが好ましい。また、第３弾性部材は、吸収体の左右方向の中心線から２０ｍｍ以内の領域（より好ましくは１５ｍｍ以内の領域であり、さらに好ましくは１０ｍｍ以内の領域）に設けられることが好ましい。第３弾性部材を設けることにより、第１フラップの立ち上がりの起点となる第１基部が着用者の肌に向かって持ち上げられ、第１フラップの全体が着用者の肌に近づくように形成される。
【００６５】
第３弾性部材は、吸収性コアよりも肌面側に設けられていることが好ましい。このように第３弾性部材を設けることにより、第１フラップを着用者の肌により近付けることができる。そのため、第１フラップの上に載せられる補助吸収体も、着用者の肌により近付けて設置することができる。具体的には、第３弾性部材は吸収性コアとトップシートの間や、トップシートの上に設けることができる。また、第１フラップを構成するシートが第３弾性部材と重なる位置まで延在している場合は、第３弾性部材は、当該シートとトップシートの間に設けてもよい。また、この場合において、第１フラップを構成するシートが複数層から構成される場合には、第３弾性部材を当該複数のシート間に配してもよい。
【００６６】
第３弾性部材は、第３弾性部材に接着剤が塗布されることにより、トップシートや第１フラップを構成するシートに取り付けられることが好ましい。これにより、トップシートや第１フラップを構成するシートの第３弾性部材が取り付けられない部分に接着剤が塗布されずにすみ、これらのシートが柔軟に形成されて肌触りが向上する。
【００６７】
上記に説明した各弾性部材としては、ポリウレタン糸、ポリウレタンフィルム、天然ゴム等の吸収性物品に通常用いられる弾性伸縮材料を用いることができる。弾性部材は、伸張状態でホットメルト接着剤等の接着剤で固定されることが好ましい。例えば、繊度４０〜１，２５０ｄｔｅｘのポリウレタン糸を、倍率１．１倍〜５．０倍に伸張して配設し、固定する。なお、前記倍率は、非伸張状態を１．０倍とする。接着剤としては、好ましくは、ゴム系のホットメルト接着剤である。
【００６８】
各弾性部材は、吸収体の左右方向の外方側が左右方向の内方側よりも強い収縮力となるように設けられることが好ましい。このように、各弾性部材が設けられれば、吸収体の左右方向の外側がより高く立ち上がるようにしつつ、着用者の臀部を包み込むように面状に立ち上がりやすくなる。具体的には、第１弾性部材は第３弾性部材よりも強い収縮力で設けられていることが好ましい。さらに、第２弾性部材は第１弾性部材よりも強い収縮力で設けられていることが好ましい。つまり、第３弾性部材、第１弾性部材、第２弾性部材の順に収縮力が強くなるように、各弾性部材が設けられることが好ましい。
【００６９】
吸収体の左右方向の外方側が左右方向の内方側よりも強い収縮力となるように弾性部材を設けるためには、例えば、左右方向の外方側に設ける弾性部材（外方弾性部材）が、左右方向の内方側に設ける弾性部材（内方弾性部材）よりも強い収縮力となるように各弾性部材を固定すればよい。具体的には、外方弾性部材を内方弾性部材よりも高い伸張倍率でフラップに固定したり、外方弾性部材として内方弾性部材よりも高い引張弾性率を有する弾性部材を用いればよい。
【００７０】
弾性部材の収縮力は、弾性部材を吸収性物品に取り付けた状態で伸張させた状態での収縮力を意味する。すなわち、吸収性物品に取り付けられた弾性部材を伸張させて、吸収性物品を完全に広げた状態で、弾性部材の伸張長さＬを測定し、次いで、当該弾性部材を吸収性物品から取り外して長さＬまで伸ばしたときの収縮力を測定することにより、弾性部材の収縮力を求める。
【００７１】
本発明の吸収性物品は、第１フラップの機能がより好適に発揮されるようにするために、吸収性コアの左側の第１基部と右側の第１基部の間に、前後方向に延びる開口または凹部が形成されていることが好ましい。このように吸収性コアが形成されていれば、吸収性物品を着用者が着用した状態で、吸収性コアが開口または凹部で窪んだ形状、すなわち左右方向断面が略Ｖ字状に形成されやすくなる。その結果、第１フラップ上に載せられた補助吸収体も左右方向の内側を窪ませて形成しやすくなり、着用者から排泄された尿等を補助吸収体で好適に受けやすくなる。なお、吸収性コアの左右方向の中央部とは、吸収性コアの左右方向の中心を含み、左右方向に所定の長さを有する部分として規定される。
【００７２】
開口は、吸収性コアを厚み方向に貫通して設けられるか、吸収性コアを左右方向に分割するように設けられる。凹部は、吸収性コアの目付けが小さくなるように形成される。凹部は、例えば、吸収性コアの左右方向の中央部が、その両側の左側部と右側部よりも目付けが６０質量％以下（より好ましくは５０質量％以下であり、さらに好ましくは４０質量％以下である）となるように形成されることが好ましい。なお、凹部は必ずしも吸収性コアの肌面側または外面側が窪んで形成されなくてもよい。
【００７３】
開口または凹部は、前後方向に延びるように吸収性コアに設けられることが好ましい。具体的には、開口または凹部は、前後方向の長さが左右方向の長さよりも長くなるように形成されることが好ましい。
【００７４】
開口または凹部は、例えば、吸収性コアの前後方向の全長にわたって形成される。開口が吸収性コアの前後方向の全長にわたって形成される場合、吸収性コアは左右方向に分割されることとなる。この場合、吸収性コアは、左右方向の左側に配された左側吸収性コアと、左右方向の右側に配された右側吸収性コアとから構成され、左側吸収性コアと右側吸収性コアの間には、吸収性コアが存在しない溝が形成されることとなる。開口または凹部が吸収性コアの前後方向の全長にわたって設けられれば、吸収性コアが前後方向の全体にわたって左右方向に折れ曲がりやすくなり、吸収性コアが開口または凹部で窪んだ形状を維持しやすくなる。その結果、第１フラップ上に載せられた補助吸収体も左右方向の中央部を窪ませて形成しやすくなる。また、様々な大きさの補助吸収体を第１フラップ上に載せて使用しても、補助吸収体の左右方向の中央部を窪ませて形成しやすくなるとともに、補助吸収体が前後方向に多少ずれても、補助吸収体の左右方向の中央部を窪ませて形成しやすくなる。その結果、着用者から排泄された尿等を補助吸収体で好適に受けやすくなる。
【００７５】
上記のように吸収性コアに前後方向に延びる開口または凹部が形成される場合、第３弾性部材が、開口または凹部よりも左右方向の外方に設けられていることが好ましい。より好ましくは、吸収体は、左側の第１基部と右側の第１基部との間に開口または凹部が形成され、第３弾性部材は、開口または凹部よりも左右方向の外方に設けられる。すなわち、第３弾性部材が、吸収体の開口または凹部の左右方向の外側端と第１基部との間に設けられることが好ましい。これにより、吸収体が開口または凹部で窪んだ形状、すなわち左右方向の断面が略Ｖ字状に形成されやすくなる。その結果、補助吸収体の左右方向の外側部が左右方向の内側部よりも着用者の肌に近付くように持ち上げられ、着用者から排泄された尿等を補助吸収体で好適に受けることができるようになる。
【００７６】
第１フラップの形成方法は特に限定されない。第１フラップは、吸収体に別部材が取り付けられて形成されてもよく、吸収体を構成する部材を適宜折り返すことにより形成してもよい。第１フラップの構成材料は特に限定されず、液透過性であっても液不透過性であってもよい。
【００７７】
第１フラップは、例えば、吸収体とは別部材のセンターシートから構成される。第１フラップには、トップシートやバックシートに使用可能なシート材料を用いることができる。第１フラップを吸収体とは別部材のセンターシートから構成すれば、第１フラップに所望する性質を付与しやすくなる。例えばセンターシートをトップシートに接合する場合、第１フラップを、トップシートと違って液不透過性に形成することができる。また、目付の大きいセンターシートを用いることにより、第１フラップに剛性を持たせたりすることも容易になる。センターシートは、例えば、接着剤、熱融着、超音波融着等の接合手段により吸収体に接合すればよい。
【００７８】
吸収体の左側に設けられる第１フラップと、右側に設けられる第１フラップは、互いに繋がって形成されていてもよい。すなわち、第１フラップが、吸収体とは別部材のセンターシートから構成されている場合には、吸収体の左側に設けられる第１フラップと、右側に設けられる第１フラップが、１つのセンターシートから構成されていることが好ましい。この場合、吸収体の左側と右側に設けられる第１フラップを互いに密接に設けることが可能となり、第１フラップの立ち上がる高さを確保しやすくなる。
【００７９】
吸収体の左側に設けられる第１フラップと右側に設けられる第１フラップは、互いに分離して設けられていてもよい。すなわち、第１フラップが、吸収体とは別部材のセンターシートから構成されている場合には、吸収体の左側に設けられる第１フラップと右側に設けられる第２フラップがそれぞれ異なるセンターシートから構成されていることも好ましい。センターシートは、吸収体の左側に設けられる左側センターシートと右側に設けられる右側センターシートから構成され、吸収体の左右方向の左側に設けられる第１フラップが左側センターシートから形成され、吸収体の左右方向の右側に設けられる第１フラップが右側センターシートから形成されることとなる。このように第１フラップが構成されれば、第１フラップを形成するために用いるシート部材の使用量を低減することができる。また、第１フラップが液不透過性である場合は、左側に設けられる第１フラップと右側に設けられる第１フラップを間隔を空けて設けることにより、補助吸収体から溢れて左側の第１フラップと右側の第１フラップの間の領域に移行した尿等が、左側の第１フラップと右側の第１フラップの間の部分のトップシートを透過して、吸収性コアに好適に吸収させることができる。その結果、吸収性物品からの尿等の漏れを防止しやすくなる。
【００８０】
第１フラップは、トップシートがひだ状に折り畳まれることにより形成されてもよい。この場合、第１フラップがトップシートと一体的に形成されることとなる。そのため、トップシートの製造工程で第１フラップを形成することができ、吸収性物品の生産設備を簡略化することができる。
【００８１】
第２フラップの形成方法も特に限定されない。第１フラップと同様に、第２フラップは、吸収体に別部材が取り付けられて形成されてもよく、吸収体を構成する部材を適宜折り返すことにより形成してもよい。第２フラップの構成材料は特に限定されないが、液不透過性であることが好ましい。
【００８２】
第２フラップは、例えば、吸収体とは別部材のサイドシートから構成される。サイドシートには、バックシートに使用可能なシート材料を用いることができる。第２フラップを吸収体とは別部材のサイドシートから構成する場合、サイドシートは吸収体の左右方向の両側に設けられる。第２フラップを吸収体と別部材のサイドシートから構成すれば、第２フラップに所望する性質を付与しやすくなる。サイドシートは、例えば、接着剤、熱融着、超音波融着等の接合手段により吸収体に接合すればよい。
【００８３】
第２フラップは、バックシートを吸収性コアの左右方向の両側端に沿って吸収体の肌面側に折り返すことにより形成されてもよい。例えば、吸収体が略長方形に形成される場合は、第２フラップはこのように形成されてもよい。
【００８４】
次に、本発明の吸収性物品の構成例について、図面を参照して説明する。図面では、吸収性物品としてオープンタイプ（テープタイプ）の使い捨ておむつが示されている。なお本発明は、図面に示された実施態様に限定されるものではない。
【００８５】
図１〜図４には、本発明の吸収性物品の一例を示した。図１は、吸収性物品としてオープンタイプの使い捨ておむつを肌面側から見た平面図を表し、図２は図１に示した吸収性物品のＩＩ−ＩＩ断面図を表し、図３は図１に示した吸収性物品のＩＩＩ−ＩＩＩ断面図を表し、図４は、図２において補助吸収体を吸収性物品上に載せた状態での吸収性物品の使用例を表す。本願の図では、矢印ｘが左右方向、矢印ｙが前後方向を表し、矢印ｘ，ｙにより形成される面に対して垂直方向が厚み方向ｚを表す。なお図１では、図面の上側が前後方向の前側に相当し、図面の下側が前後方向の後側に相当する。また図１では、第１フラップと第２フラップが倒伏した状態が示されているが、図２では、第１フラップと第２フラップが起立した状態が示されている。
【００８６】
吸収性物品１（１Ａ）は、トップシート３とバックシート４との間に吸収性コア５が配され、前後方向ｙと左右方向ｘとを有する吸収体２を有する。トップシート３は、着用者の肌に面するように配置され、尿等の排泄物を透過する。トップシート３を透過した排泄物は、吸収性コア５により収容される。
【００８７】
吸収体２の前後方向ｙの後側部には、左右側端部に止着部材１５が取り付けられている。止着部材１５は基材シート１６に留め具１７が設けられて構成されている。吸収性物品１Ａは、吸収体２を着用者の股間に当て、留め具１７を吸収体２の前側部の外面側に接合することで、装着することができる。留め具１７としては、フック・ループ・ファスナーのフック部材や粘着剤を採用することができる。
【００８８】
図１に示すように、吸収体２の肌面側の左右両側に、第１フラップ６が取り付けられている。詳細には、吸収体２の左右方向ｘの中心線Ｃの左側に左側第１フラップ６Ｌが設けられ、吸収体２の左右方向ｘの中心線Ｃの右側に右側第１フラップ６Ｒが設けられている。第１フラップ６は、図２に示すように吸収体２から立ち上がる起点となる第１基部６Ｂと、吸収体２から立ち上がった先端となる第１自由端６Ｆを有している。
【００８９】
第１フラップ６には、第１基部６Ｂから第１自由端６Ｆの間に前後方向ｙに延びる第１弾性部材７が設けられ、第１フラップ６が左右方向の外方に傾倒するように形成されている。第１フラップ６は、図３に示すように左右方向ｘの外側面の前後端部が吸収体２に接合され、第１弾性部材７の収縮力により立ち上がる際、図２に示すように左右方向ｘの外方に傾倒するように形成されている。吸収性物品１Ａは、第１フラップ６の第１基部６Ｂから第１自由端６Ｆの間に第１弾性部材７が設けられることによって、図４に示すように第１フラップ６の上に補助吸収体３０を載せた場合、補助吸収体３０を着用者の肌に向かって持ち上げることができる。この際、第１フラップ６が左右方向ｘの外側部が左右方向ｘの内側部よりも着用者の肌に近づくように持ち上げられるため、補助吸収体３０が左右方向ｘ断面で凹状に形成される。
【００９０】
図３に示すように、第１フラップ６は、第１基部６Ｂから第１自由端６Ｆに至る領域を左右方向ｘに３分割して、基部側領域６ＡＢと自由端側領域６ＡＦとその間の中央領域６ＡＣが設けられている。そして、第１弾性部材７が、基部側領域６ＡＢ、自由端側領域６ＡＦ、中央領域６ＡＣにそれぞれ設けられている。このため、第１フラップの剛性が高められるとともに、第１フラップ６の上に載せられる補助吸収体を左右方向ｘ断面でより深い凹状に形成しやすくなる。
【００９１】
吸収性物品１Ａには、吸収体２の肌面側の第１フラップ６の左右方向ｘの外方に、前後方向ｙに延びるように第２フラップ８が設けられている。詳細には、左側の第１フラップ６Ｌの外方には左側の第２フラップ８Ｌが設けられ、右側の第１フラップ６Ｒの外方には右側の第２フラップ８Ｒが設けられている。第２フラップ８は、吸収体２から立ち上がる起点となる第２基部８Ｂと、吸収体２から立ち上がった先端となる第２自由端８Ｆを有する。第２フラップ８の第２基部８Ｂから第２自由端８Ｆの間には、前後方向ｙに延びる第２弾性部材９が設けられる。第２フラップ８の第２基部８Ｂから第２自由端８Ｆの間は、第２弾性部材９の収縮力によって吸収体２から立ち上がり、左右方向ｘの内方に傾倒するように形成されている。このため、第１フラップ６の上に載せられた補助吸収体から尿等が溢れ出ても、吸収性物品１Ａからの横漏れを防止することができる。
【００９２】
第１フラップ６の左側の第１基部６Ｂと右側の第１基部６Ｂとの間には、前後方向ｙに延びる第３弾性部材１０が設けられている。第３弾性部材１０の収縮力によって、第１フラップ６の立ち上がりの起点となる第１基部６Ｂが着用者の肌に向かって持ち上げられる。このため、第１フラップ６の全体が着用者の肌に向かって近づくように形成される。そして、第１フラップ６が左右方向ｘの外方に傾倒するように立ち上がるように形成されているため、図４に示すように、第１フラップ６の上に補助吸収体３０を載せた場合、補助吸収体３０の左右方向ｘの外側部が左右方向ｘの内側部よりも着用者の肌に近付くように持ち上げられ、補助吸収体３０が左右方向ｘ断面で凹状に形成されやすくなる。
【００９３】
図５〜図７には、第１フラップの様々な変形例を示した。図５〜図７には、吸収体の左右方向ｘの断面図が示されている。
【００９４】
図５〜図６は、吸収体２の左側に設けられる第１フラップ６Ｌと、右側に設けられる第１フラップ６Ｒが互いに繋がって形成されている例である。図５〜図６では、左側に設けられる第１フラップ６Ｌと右側に設けられる第１フラップ６Ｒが１つのシート部材から形成されている。図５の第１フラップ６は、１つのシート部材を折り返すことによって、第１フラップ６の左右方向ｘ全体が２層に構成されている。一方、図６の第１フラップ６は、１つのシート部材を折り返すことによって、第１フラップ６の左右方向ｘの外方では２層に構成されて、左右方向ｘの内方では１層に構成されている。このように、左側の第１フラップ６Ｌと右側の第１フラップ６Ｒを１つのシート部材から互いに繋がるように形成することにより、左右の第１フラップ６を互いに密接に設けることが可能となり、第１フラップ６の立ち上がる高さを確保しやすくなる。
【００９５】
図２〜図５では、第１フラップ６が左右方向ｘの全体で２層に構成されている。そして、図２〜図５では、第１フラップ６の第１基部６Ｂから第１自由端６Ｆの間の領域が２層に構成されているため、折り返された第１フラップ６の上層と下層の間に第１弾性部材７を配置することができる。一方、図６〜図７では、第１フラップ６の左右方向ｘの外方では２層に構成されて、左右方向ｘの内方では１層に構成されている。そして、第１フラップ６を折り返すことによって２層に構成されている部分の上層と下層の間に第１弾性部材７が配されている。このように、第１フラップ６の左右方向ｘの少なくとも自由端側領域において、第１フラップ６が複数層に構成されていてもよい。
【００９６】
図２〜図４、図７では、吸収体２の左側に設けられる第１フラップ６Ｌと、右側に設けられる第１フラップ６Ｒが互いに分離して設けられている。この場合、第１フラップ６を形成するために用いるシート部材の使用量を低減することができる。
【００９７】
第３弾性部材１０の配設位置は特に限定されないが、図５に示すように、左右の第１フラップ６が互いに繋がって形成されて、第１フラップ６が左右方向ｘの全体で２層に構成されている場合、左右の第１フラップ６の第１基部６Ｂの間の領域で、第１フラップ６の上層と下層の間に挟んで第３弾性部材１０を設けることができる。また、図６に示すように、左右の第１フラップ６が互いに繋がって形成されて、左側の第１基部６Ｂと右側の第１基部６Ｂの間が１層に構成されている場合、第１フラップ６とトップシート３の間に第３弾性部材１０を設けることもできる。図７に示すように、左側の第１フラップ６Ｌと右側の第１フラップ６Ｒが互いに分離して設けられ、左側の第１基部６Ｂと右側の第１基部６Ｂの間が１層に構成されている場合は、トップシート３と吸収性コア５の間に第３弾性部材１０を設けることもできる。
【００９８】
吸収性物品１Ａは、吸収性コア５の左右方向ｘの外方に、前後方向ｙに延びるレッグ弾性部材１３が設けられている。レッグ弾性部材１３により、着用者の脚周りに沿ったレッグギャザーが形成され、股部からの尿等の排泄物の漏れが防止される。
【００９９】
吸収性物品１Ａは、吸収体２の前後方向ｙの両端部に、左右方向ｘに延びるウェスト弾性部材１４が設けられている。ウェスト弾性部材１４により着用者の腰周りに沿ったウェストギャザーが形成され、背側や腹側からの尿等の漏れが防止される。
【０１００】
次に、図１〜図７に示した吸収性物品とは異なる態様の吸収性物品について、図８〜図１１を参照しながら説明する。なお図８〜図１１の説明において、上記の説明と重複する部分は説明を省略する。図８は、吸収性物品としてオープンタイプの使い捨ておむつを肌面側から見た平面図を表し、図９は図８に示した吸収性物品のＩＸ−ＩＸ断面図を表す。図１０〜図１１は、図９に示した吸収性物品の左右方向の断面図の変形例を表す。
【０１０１】
吸収性物品１（１Ｂ）の吸収性コア５は、第１フラップ６の左側の第１基部６Ｂと右側の第１基部６Ｂの間に、前後方向ｙに延びる開口１１が形成されている。すなわち、吸収性コア５は前後方向ｙの一部において、開口１１によって左右方向ｘに分割されている。その結果、吸収性物品１Ｂは、吸収性コア５が左右方向ｘ断面で略Ｖ字状に形成されやすくなり、それにより第１フラップ６の上に載せられた補助吸収体も左右方向ｘの外側部が左右方向ｘの内側部よりも着用者の肌に近付くように持ち上げられ、着用者から排泄された尿等を補助吸収体で好適に受けることができるようになる。
【０１０２】
図９では、第３弾性部材１０が開口１１よりも左右方向ｘの外方に設けられている。詳細には、第３弾性部材１０は、吸収性コア５の開口の左右方向ｘの外側端と第１基部６Ｂの間に設けられている。これにより、吸収性コア５の左右方向ｘ断面が略Ｖ字状に形成されるとともに、第３弾性部材１０によって第１フラップ６の全体が持ち上げられる。
【０１０３】
図９〜図１０に示すように、吸収性コア５に前後方向ｙに延びる開口１１が形成される場合であっても、第１フラップ６は左右方向ｘの全体で複数層に構成されていてもよい。
【０１０４】
図１０に示すように、左側の第１フラップと右側の第１フラップが互いに繋がって形成されている場合、吸収性コア５の開口１１が形成されている部分において、第１フラップ６の第１基部６Ｂの間の部分が吸収体２に接合されていることが好ましい。これにより、第１フラップ６は、開口１１の形状に沿って設けられるため、吸収体２を開口１１で窪んだ形状に形成しやすくなる。その結果、第１フラップ６上に載せられた補助吸収体も左右方向ｘの内側を窪ませて形成しやすくなり、着用者から排泄された尿等を補助吸収体で好適に受けやすくなる。
【０１０５】
図１１の吸収性物品１Ｂの吸収性コア５は、第１フラップ６の左側の第１基部６Ｂと右側の第１基部６Ｂの間に、前後方向ｙに延びる凹部１２が形成されている。また、図１１では第３弾性部材１０が、凹部１２よりも左右方向ｘの外方に設けられている。このように吸収性物品１Ｂを構成しても、吸収性物品１Ｂは、吸収性コア５が左右方向ｘ断面で略Ｖ字状に形成されやすくなる。これにより第１フラップ６の上に載せられた補助吸収体も左右方向ｘの外側部が左右方向ｘの内側部よりも着用者の肌に近付くように持ち上げられ、着用者から排泄された尿等を補助吸収体で好適に受けることができるようになる。
【符号の説明】
【０１０６】
１，１Ａ，１Ｂ：吸収性物品
２：吸収体
３：トップシート
４：バックシート
５：吸収性コア
６：第１フラップ、６Ｂ：第１基部、６Ｆ：第１自由端
６ＡＢ：基部側領域、６ＡＦ：自由端側領域、６ＡＣ：中央領域
７：第１弾性部材
８：第２フラップ、８Ｂ：第２基部、８Ｆ：第２自由端
９：第２弾性部材
１０：第３弾性部材
１１：開口
１２：凹部
１３：レッグ弾性部材
１４：ウェスト弾性部材
１５：止着部材
１６：基材シート 
１７：留め具
３０：補助吸収体
【図１】
0006487766.tif 000002
【図２】
0006487766.tif 000003
【図３】
0006487766.tif 000004
【図４】
0006487766.tif 000005
【図５】
0006487766.tif 000006
【図６】
0006487766.tif 000007
【図７】
0006487766.tif 000008
【図８】
0006487766.tif 000009
【図９】
0006487766.tif 000010
【図１０】
0006487766.tif 000011
【図１１】
0006487766.tif 000012